(57)【要約】【課題】装置本体外の温度に関係なく、より省エネルギ効果の高い方式で制御気流を生成し、装置内を空調する。【解決手段】空調装置３と、空調手段３からの空気を環境制御箇所２−１，２に案内する往き側の流路４ａと、環境制御箇所２−１，２から空調装置３を通り、あるいは直接装置外に、熱交換した空気を通す戻り側の流路４ｃと、戻り側の流路４ｃから分岐し、装置外に開口した第１の外気口７を有する第１の連通路４ｃ１と、戻り側の流路４ｃから分岐し、装置外に開口した第２の外気口８を有する第２の連通路４ｃ２と、戻り側の流路４ｃである第３の連通路４ｃ３を通る経路、あるいは第２の連通路４ｃ２の第２の外気口８から排気し、第１の連通路４ｃ１の第１の外気口７から空調装置３に外気を取り込む経路のいずれかに、戻り側の流路４ｃ内の温度と装置外の温度を比較して切り替える。【選択図】図１
2014074768.tif 000002
【特許請求の範囲】
【請求項１】
空気の温度を制御する空調手段と、
前記空調手段から送風される空気を温度制御対象部に案内する第１の流路と、
前記温度制御対象部から前記空調手段を通り、あるいは直接装置外に、前記温度制御対象部で熱交換した空気を通す第２の流路と、
前記温度制御対象部で熱交換した空気、あるいは、装置外から吸引された空気のいずれかを前記空調手段に吸引させ切替手段と、
を備えた空調装置。
【請求項２】
請求項１に記載の空調装置であって、
前記第２の流路から分岐し、装置外に開口した第１の外気口を有する第３の流路と、
前記第２の流路から分岐し、装置外に開口した第２の外気口を有する第４の流路と、
を備え、
前記切替手段が、前記第２の流路内の温度と装置外の温度とを比較し、比較結果に基づいて、前記第２の流路を通る経路、あるいは前記第４の流路の第２の外気口から排気し、前記第３の流路の第１の外気口から前記空調手段に外気を取り込む経路のいずれかに切り替える空調装置。
【請求項３】
請求項２に記載の空調装置であって、
前記第２の外気口から排気された空気が前記第１の外気口側へ回り込み、当該第１の外気口から装置内に導入されない位置に前記第１の外気口と前記第２の外気口がそれぞれ設けられた空調装置。
【請求項４】
請求項３に記載の空調装置であって、
前記第１の外気口と前記第２の外気口とが装置の異なる面に設けられている空調装置。
【請求項５】
請求項２ないし４のいずれか１項に記載の空調装置であって、
前記第１の外気口と前記第２の外気口との間に、前記第２の外気口から排気された熱交換後の空気の前記第１の外気口への導入を阻止する遮蔽板を備えた空調装置。
【請求項６】
請求項５に記載の空調装置であって、
前記遮蔽板を隔てて上部に前記第２の外気口が開口し、下部に前記第１の外気口が開口した空調装置。
【請求項７】
請求項５に記載の空調装置であって、
前記遮蔽板が、前記第２の外気口と連通するダクトからなる空調装置。
【請求項８】
請求項２ないし６のいずれか１項に記載の空調装置であって、
前記第４の流路の上流側の前記第２の流路にフィルタを備えた空調装置。
【請求項９】
請求項２ないし８のいずれか１項に記載の空調装置であって、
前記温度制御対象部が複数である空調装置。
【請求項１０】
請求項２ないし９のいずれか１項に記載の空調装置であって、
前記制御手段は、前記空調手段が冷房運転する場合、
装置外の空気の温度が前記第２の流路を通る空気の温度より小さいときは、前記第４の流路の第２の外気口から排気し、前記第３の流路の第１の外気口から前記空調手段に外気を取り込む経路に切り替え、
装置外の空気の温度が前記第２の流路を通る空気の温度以上のときは、前記第２の流路を通る経路に切り替える空調装置。
【請求項１１】
請求項２ないし９のいずれか１項に記載の空調装置であって、
前記制御手段は、前記空調手段が暖房運転する場合、
装置外の空気の温度が前記第２の流路を通る空気の温度より大きいときは、前記第４の流路の第２の外気口から排気し、前記第３の流路の第１の外気口から前記空調手段に外気を取り込む経路に切り替え、
装置外の空気の温度が前記第２の流路を通る空気の温度より小さいときは、前記第２の流路を通る経路に切り替える空調装置。
【請求項１２】
請求項２ないし１１のいずれか１項に記載の空調装置であって、
前記制御手段が、前記第４の流路の第２の外気口から排気し、前記第３の流路の第１の外気口から前記空調手段に外気を取り込む経路に切り替えて空調手段の運転を開始する空調装置。
【請求項１３】
請求項１ないし１２のいずれか１項に記載の空調装置を備えた画像形成装置。
【請求項１４】
請求項１３に記載の画像形成装置であって、
前記空調装置から送風される空気を温度制御対象部に案内する給気流路と、
前記温度対象部で熱交換された空気を前記第２の流路に案内する排気流路と、
を備えた画像形成装置。
【請求項１５】
請求項１４に記載の画像形成装置であって、
前記給気流路に前記第１の流路が接続され、
前記排気経路に前記第２の流路が接続され、
前記空調装置が前記画像形成装置の本体部に着脱可能である画像形成装置。
【請求項１６】
請求項５に記載の空調装置を備え、
前記遮蔽板が排紙トレーである画像形成装置。
【請求項１７】
請求項１６に記載の画像形成装置であって、
前記排紙トレーに排紙される記録紙に対して前記第２の外気口からの排気を送風する画像形成装置。
【請求項１８】
空気の温度を制御する空調手段と、
前記空調手段から送風される空気を温度制御対象部に案内する第１の流路と、
前記温度制御対象部から前記空調手段を通り、あるいは直接装置外に、前記温度制御対象部で熱交換した空気を通す第２の流路と、
前記温度制御対象部で熱交換した空気、あるいは、装置外から吸引された空気のいずれかを前記空調手段に吸引させる切替手段と、
を備えた空調装置の空調流路切替方法であって、
前記空調手段が冷房運転する場合、
装置外の空気の温度が前記第２の流路を通る空気の温度より小さいときは、前記切替手段によって装置外から吸引された空気を前記空調手段に吸引させて当該空調手段から前記第１の流路に供給し、
装置外の空気の温度が前記第２の流路を通る空気の温度以上のときは、前記切替手段によって前記温度制御対象部で熱交換した空気を前記空調手段に吸引させて当該空調手段から前記第１の流路に供給し、
前記空調手段が暖房運転する場合、
装置外の空気の温度が前記第２の流路を通る空気の温度より大きいときは、前記切替手段によって装置外から吸引された空気を前記空調手段に吸引させて当該空調手段から前記第１の流路に供給し、
装置外の空気の温度が前記第２の流路を通る空気の温度より小さいときは、前記切替手段によって前記温度制御対象部で熱交換した空気を前記空調手段に吸引させて当該空調手段から前記第１の流路に供給する空調装置の空調流路切替方法。
【請求項１９】
空気の温度を制御する空調手段と、
前記空調手段から送風される空気を温度制御対象部に案内する第１の流路と、
前記温度制御対象部から前記空調手段を通り、あるいは直接装置外に、前記温度制御対象部で熱交換した空気を通す第２の流路と、
前記温度制御対象部で熱交換した空気、あるいは、装置外から吸引された空気のいずれかを前記空調手段に吸引させる切替手段と、
を含む空調装置と、
前記空調装置から送風される空気を前記第１の流路を経て前記温度制御対象部に案内する給気流路と、
前記温度対象部で熱交換された空気を前記第２の流路に案内する排気流路と、
を備えた画像形成装置の空調流路切替方法であって、
前記空調手段が冷房運転する場合、
装置外の空気の温度が前記第２の流路を通る空気の温度より小さいときは、前記切替手段によって装置外から吸引された空気を前記空調手段に吸引させて当該空調手段から前記第１の流路に供給し、
装置外の空気の温度が前記第２の流路を通る空気の温度以上のときは、前記切替手段によって前記温度制御対象部で熱交換した空気を前記空調手段に吸引させて当該空調手段から前記第１の流路に供給し、
前記空調手段が暖房運転する場合、
装置外の空気の温度が前記第２の流路を通る空気の温度より大きいときは、前記切替手段によって装置外から吸引された空気を前記空調手段に吸引させて当該空調手段から前記第１の流路に供給し、
装置外の空気の温度が前記第２の流路を通る空気の温度より小さいときは、前記切替手段によって前記温度制御対象部で熱交換した空気を前記空調手段に吸引させて当該空調手段から前記第１の流路に供給する画像形成装置の空調流路切替方法。
【発明の詳細な説明】
【技術分野】
【０００１】
本発明は空調装置、画像形成装置および流路切替方法に係り、さらに詳しくは装置内の特定箇所の温度を所定の温度に制御する空調装置、その空調装置を備えたプリンタ、ファクシミリ、複写装置、さらにはこれらの機能のうち少なくとも２つの機能を備えたデジタル複合機等の画像形成装置、および空調装置あるいは画像形成装置の空調流路切替方法に関する。
【背景技術】
【０００２】
プリンタ、ファクシミリ、複写装置およびデジタル複合機等の画像形成装置は、画像情報に基づいて、紙やＯＨＰシートなどの記録媒体に文字、記号等の画像を記録するものである。このような画像形成装置には種々の方式があるが、電子写真方式が普通紙に高精細な画像を高速で記録することができる点から広く使用されている。
【０００３】
図１１は、従来から一般的に実施されている画像形成装置の概略構成を示す図である。この画像形成装置は電子写真方式のカラー複写機であって、中間転写体上に各色のトナー像を重ねて形成するいわゆる間接転写方式のタンデム型のフルカラー画像形成装置である。この方式のカラー画像形成装置は公知であるので、動作とともに概略的に説明する。
【０００４】
同図において、この画像形成装置２００は、装置本体２１０と、画像読み取り装置２２０と、給紙装置２３０とから基本的に構成されている。この画像形成装置２００では、画像読み取り装置２２０によって画像情報を読み込み、この画像情報に応じて、装置本体２１０の作像部２１１の４つの感光体２１２上に静電潜像を書き込むためのレーザ光が書き込み装置２１３により照射される。なお、感光体２１２はこの例および後述の実施形態ではドラム状に形成された感光体ドラムである。
【０００５】
作像部２１１では、イエロー、シアン、マゼンタ、ブラックの現像装置２１４により現像剤中のトナーを感光体２１２上にそれぞれ付着させてトナー像を形成（現像）し、順次、中間転写ベルト２１５に転写する。そして、２次転写装置２１６により中間転写ベルト２１５上のトナー像を給紙装置２３０から給紙されてくる記録紙に転写する。定着装置２１７ではトナー像が転写された記録紙を加熱および加圧し、記録紙上のトナーを溶融させて記録紙に圧着させる。
【０００６】
この後、記録紙の片面のみに記録する場合は、排紙トレー２１８に排出される。また、記録紙の両面に記録する場合には、両面ユニット２１９において記録紙の表裏を反転し、再び上流の２次転写装置２１６側に搬送する。作像部２１１では次の画像について同様の動作を繰り返し、搬送されてきた記録紙の裏面に画像を転写し、定着した後、排紙トレー２１８に排紙する。
【０００７】
このような電子写真方式による画像形成装置２００は、装置内に備えられる画像形成要素が環境変化の影響を受けやすく、特に、温度および湿度によって特性が変化する。そのため、この特性の変化に対応する必要がある。
【０００８】
温度に関しては、画像形成装置２００の装置内に設けられた書込装置２１３、定着装置２１７、現像装置２１４および感光体（像担持体）２１２などを回転駆動させる駆動モータなどの様々な箇所で発熱し、装置内を温度上昇させることが知られている。例えば、現像装置２１４においては、現像装置２１４内の現像剤を撹拌搬送する現像剤撹拌搬送部材を駆動した際に、現像剤撹拌搬送部材と現像剤との摺擦による摩擦熱、あるいは現像剤同士の摺擦による摩擦熱が、装置内の温度上昇の原因となる。
【０００９】
また、現像剤を現像領域に搬送する前に現像剤担持体（現像ローラ）上に担持されている現像剤の層厚を規制する現像剤規制部材と現像剤との摺擦による摩擦熱、あるいは現像剤規制部材による規制の際の現像剤同士の摺擦による摩擦熱も、現像装置内の温度を上昇させる原因となる。
【００１０】
このように現像装置２１４内の温度が上昇すると、トナーの帯電量が低下してトナー付着量が増加し、所定の画像濃度が得られなくなる。また、温度上昇によりトナーが溶融して凝集し、現像剤規制部材、現像剤担持体、あるいは像担持体などに固着し、画像にスジ状の異常画像などが生じるおそれがある。特に、近年、定着エネルギを小さくするために溶融温度の低いトナーを用いることが多くなっており、このような溶融温度の低いトナーでは、トナーの凝集による異常画像などが生じやすい。
【００１１】
湿度については、画像形成装置２００では、トナー、キャリアなどの帯電微粒子および帯電している感光体２１２を用いて作像するので、装置内部の空気の組成、特に湿度の影響によりそれらの帯電状態が変化することによって画像品質が不安定となってしまう。例えば、電子写真装置に使用するトナーおよびキャリアなどの帯電微粒子は高分子樹脂に帯電制御剤を添加することで静電的な帯電状態を安定化するように設計されている。しかし、高分子樹脂の電気的な特性は疎水化処理などを尽くしても気中の水分を取り込み、電気抵抗、粉体同士の摩擦係数あるいは流動性変化などを引き起こす。その結果、現像装置２１４内のトナー帯電量を低下させてしまい、濃度上昇などの画質変動を招いてしまう場合がある。
【００１２】
放電現象を利用している帯電装置では、放電に伴って硝酸化合物が生成され、これが気中の水分と結合することにより硝酸および硝酸塩などのイオン化物質が感光体２１２の表面に付着する。この付着により感光体２１２の表面の劣化が加速され、感光体２１２の異常磨耗を招く原因となる。また、イオン化物質によって表面が導電化することによる静電潜像のぼやけ、いわゆる画像流れが発生してしまう。
【００１３】
このような問題に対応するには、基本的には空調手段を設ければよい。一般的な空調手段として蒸気圧縮式冷凍機の構成および動作原理を図１２に示す。図１２（ａ）において、蒸気圧縮式冷凍機は冷媒を圧縮する圧縮機１０１、冷媒と空気との熱交換を行う第１の熱交換器（凝縮器）１０２、第２の熱交換器（蒸発器）１０３、冷媒を減圧する膨張弁１０４、および冷媒の流路を切り替える四方弁１０５から構成される。また、以下のサイクルを繰り返すことで、空気を加熱したり、冷却したりすることができる。
【００１４】
１．  圧縮  ：低圧・低温の冷媒蒸気を圧縮機１０１により圧縮して高圧・高温の冷媒蒸気にする。
【００１５】
２．  凝縮  ：圧縮機１０１で高圧・高温になった冷媒蒸気を第１の熱交換器１０２に送り、空気と熱交換させて冷却し、冷媒液にする（空気は加熱される）。
【００１６】
３．  膨張  ：第１の熱交換器１０２により液化された高圧の冷媒液を膨張弁１０４により減圧する。
【００１７】
４．  蒸発  ：膨張弁１０４で減圧された冷媒液を第２の熱交換器１０３で蒸発させ、空気から熱を奪う（空気は冷却される）。
【００１８】
前記過程は、図１２（ｃ）の温度ＴとエントロピＳのＴ−Ｓ線図で説明される。圧縮機１０１は、冷媒の乾き飽和蒸気Ａを第１の熱交換器１０２における所定温度に対する飽和蒸気圧以上の圧力まで圧縮し、過熱飽和蒸気Ｂにして第１の熱交換器１０２に送る。第１の熱交換器１０２に送られた過熱飽和蒸気Ｂは空気との熱交換によって熱Ｑ１を捨てて、冷やされて液化し、飽和液Ｃになる。この飽和液Ｃは膨張弁１０４に送られ、膨張弁１０４によって等エンタルピ膨張を行い、湿り蒸気Ｄになって第２の熱交換器１０３に送られる。第２の熱交換器１０３に送られた湿り蒸気Ｄは空気から熱量Ｑ２を吸収し、気化して乾き飽和蒸気Ａに戻る。
【００１９】
図１２（ｂ）は図１２（ａ）の状態から四方弁１０５を切り替えたときの状態を示す図である。すなわち、図１２（ａ）に示すように、四方弁１０５により冷媒の流路を、
圧縮機１０１→第１の熱交換器１０２→膨張弁１０４→第２の熱交換器１０３
という状態から図１２（ｂ）に示すように
圧縮機１０１→第２の熱交換器１０３→膨張弁１０４→第１の熱交換器１０２
となるように切り替えることにより、第１の熱交換器１０１と第２の熱交換器１０３を凝縮器と蒸発器および蒸発器と凝縮器として機能させることができる。
【００２０】
しかし、前記空調手段により画像形成装置２００全体を空調しようとすると制御対象となる容量が大きくなり、制御能力に見合ったコスト、大きさ、騒音、電力消費増大を招いてしまう。そのため、画像形成装置２００に空調手段を適用した場合、従来の主に冷却用いられてきたファンと比較して必要とする電力が大きくならざるを得なかった。
【００２１】
そこで、感光体、現像ユニットなどからなる作像部のみ空調する技術が例えば特開２００３−１２２２０８号公報（特許文献１）および特許第３９２４４８４号公報（特許文献２）に開示されている。
【００２２】
このうち特許文献１には、感光体の周囲から、作像に有害な要因物質を効率よく除去することを目的とし、本体ケースと、少なくとも感光体が作像ケース内に収納された作像ユニットであって、前記本体ケース内に取り付けられた状態において作像に有害な要因物質が前記作像ユニット内に流入する可能性のある開口として前記感光体の一部が露出する転写用開口のみが形成された作像ユニットと、前記作像ユニット内に外部から流入する作像に有害な要因物質を除去する空気調整手段と、を有し、前記作像ユニットの外部から前記作像ユニット内を経由して前記作像ユニットの外部に通じる流路が形成され、この流路の入口側に前記空気調整手段が設けられていること、および、前記作像ユニット内の空気がこの作像ユニット外に排出された後に前記作像ユニット内に流入する循環流路が設けられ、この循環流路の途中に前記空気調整手段が設けられた発明が記載されている。
【００２３】
また、特許文献２には、電子写真方式の画像形成装置が設置されている環境の温度や湿
度が変化した場合であっても、クリーニングブレードによる感光体上の残留トナーを掻き
落とす性能を良好な状態に維持することができるようにすることを目的とし、暖められた
空気を供給する加熱動作や冷却された空気を供給する冷却動作を行う温度調整装置を備え
、前記クリーニングブレードの温度を調節する機能を有する空調手段と、前記クリーニン
グブレードの温度を測定する温度センサと、前記クリーニングブレードの温度が前記クリ
ーニングブレードによる残留トナーの掻き落としを適正に行える温度となるように、前記
温度センサの検出値と予め設定されている基準値温度とに応じて前記空調手段を駆動させ
る温度制御手段と、を有する電子写真方式の画像形成装置において、少なくも前記感光体
と前記現像ユニットと前記クリーニングユニットとがケース内に収納され、そのケース内
が略密閉空間とされてそれぞれ異なる色の画像形成が行われる作像モジュールが複数設け
られ、前記空調手段により温度が調節される空間が前記作像モジュール内の略密閉空間で
あり、前記基準値温度が前記作像モジュールごとに設定されていることを特徴とする発明
が記載されている。
【００２４】
また、特許文献２には、前記温度調整手段に代えてあるいは温度調整手段とともに湿度
を調整する湿度調整手段を備え、前記基準値温度に代えて基準値湿度として発明も開示さ
れている。
【発明の概要】
【発明が解決しようとする課題】
【００２５】
ところで、画像形成装置２００の装置本体２１０内部の温度および湿度を制御する空調方式として２つの方式がある。その１つは、空調手段により生成される制御気流を装置本体２１０内の制御対象箇所に供給し、その空気を再び空調手段が吸気する方式（以後、「循環方式」と称する。）である。他の１つは、空調手段により生成される制御気流を画像形成装置２００内の制御対象箇所に供給し、そのまま画像形成装置２００外に排気し、空調手段は画像形成装置２００外のフレッシュエアーを吸気する方式（以後、「環境排気・吸気方式」と称する。）である。装置本体２１０内の制御対象箇所を目標温度に制御するためには、いずれの方式で空調を行うにせよ目標温度に合わせた所定の温度の制御気流を生成する必要がある。
【００２６】
ここで環境温度を考えると、装置本体２１０外の温度が制御気流の温度より高い場合、前記所定の温度の制御気流を生成すると、制御対象箇所を通過した後の制御気流の温度が装置本体２１０外の温度より低くなる場合がある。このような条件下では、循環方式と環境排気・吸気方式とを比較すると前者の方が空調装置の吸気温度が低いため、より低いエネルギで所定の温度の制御気流を生成することができる。
【００２７】
一方、装置本体２１０外の温度が制御気流の温度より低い場合、前記所定の温度の制御気流を生成すると制御対象箇所を通過した後の空気の温度が装置本体２１０外の温度より高くなる場合がある。このような条件下では、循環方式と環境排気・吸気方式とを比較すると後者の方が空調装置の吸気温度が低いため、より低いエネルギで所定の温度の制御気流を生成することができる。
【００２８】
以上のように、装置本体２１０外の温度により、循環方式と環境排気・吸気方式で省エネルギ的な観点で見ると、いずれか一方の方が他方より好適な場合があった。
【００２９】
そこで、本発明が解決しようとする課題は、装置本体外の温度に関係なく、より省エネルギ効果の高い方式で制御気流を生成し、装置内の空調を行うことにある。
【課題を解決するための手段】
【００３０】
前記課題を解決するため、本発明は、空気の温度を制御する空調手段と、前記空調手段から送風される空気を温度制御対象部に案内する第１の流路と、前記温度制御対象部から前記空調手段を通り、あるいは直接装置外に、前記温度制御対象部で熱交換した空気を通す第２の流路と、前記第２の流路から分岐し、装置外に開口した第１の外気口を有する第３の流路と、前記第２の流路から分岐し、装置外に開口した第２の外気口を有する第４の流路と、前記第２の流路を通る経路、あるいは前記第４の流路の第２の外気口から排気し、前記第３の流路の第１の外気口から前記空調手段に外気を取り込む経路のいずれかに切り替える切り替え手段と、前記第２の流路内の温度と装置外の温度とを比較し、比較結果に基づいて前記切り替え手段を駆動して経路を切り替えさせる制御手段と、を備えた空調装置を特徴とする。
【発明の効果】
【００３１】
本発明によれば、装置本体外の温度に関係なく、より省エネルギ効果の高い方式で制御気流を生成し、装置内の空調を行うことができる。なお、前記以外の課題、構成および効果は、以下の実施形態の説明によって明らかになる。
【図面の簡単な説明】
【００３２】
【図１】本発明の実施形態における実施例１に係る画像形成装置の概略構成を示す正面図である。
【図２】記録紙を長時間出力した際の循環方式および環境排気・吸気方式で空調した場合の気流吸引口、気流供給口、および第２の開口における制御気流温度を比較して示す図である。
【図３】切り替え装置のソレノイド駆動の方向切替弁の構成の一例を示す略図である。
【図４】実施例２に係る画像形成装置の概略構成を示す正面図である。
【図５】実施例３に係る画像形成装置の概略構成を示す正面図である。
【図６】実施例４における流路切替部の切り替え制御手順を示すフローチャートである。
【図７】実施例５に係る画像形成装置の概略構成を示す正面図である。
【図８】実施例６に係る画像形成装置の概略構成を示す正面図である。
【図９】実施例７に係る画像形成装置の概略構成を示す図である。
【図１０】実施例７の変形例に係る画像形成装置の概略構成を示す図である。
【図１１】従来から一般的に実施されている画像形成装置の概略構成を示す図である。
【図１２】一般的な空調手段として蒸気圧縮式冷凍機の構成および動作原理を示す説明図である。
【発明を実施するための形態】
【００３３】
本発明は、画像形成装置外の温度と制御気流の温度を比較し、その結果に基づいて空調手段の吸気を画像形成装置外の空気か制御気流とするかを切り替えることを特徴とする。
【００３４】
以下、図面を参照し、本発明の実施の形態について実施例を挙げて説明する。なお、以
下の実施例において同一もしくは同一を見なせる各部には同一の参照符号を付し、重複す
る説明あるいは図示は適宜省略する。
【実施例１】
【００３５】
図１（ａ），（ｂ）は実施例１に係る画像形成装置の概略構成を示す正面図である。図１（ａ）および（ｂ）において、本実施例に係る画像形成装置１には、温度制御が必要な箇所として第１および第２の環境制御箇所２−１，２が存在する。この２つの環境制御箇所２−１，２を備えているという前提で、以下説明するが、３つ以上の環境制御箇所を備えている場合も同様である。なお、複数の環境制御箇所を総括して指す場合には、符号４を付して説明する。
【００３６】
画像形成装置１は、空調装置（エアコン）３、制御気流流路（エアーダクト）４、気流供給口５、気流吸引口６、第１および第２の外気口７，８、第１および第２の開口９，１０、流路切替部１１、制御気流温度センサ１２、外気温度センサ１３および切替制御装置１４を備えている。
【００３７】
気流供給口５および気流吸引口６は制御気流流路４の空調装置３側への接続端であり、空調装置３から気流供給口５に気流が供給され、気流吸引口６から気流が吸引される。制御気流流路４は第１および第２の環境制御箇所２−１，２に対して往き側の流路４ａ、熱交換する第１および第２の熱交換流路４ｂ−１，４ｂ−２および戻り側の流路４ｃを備え、気流供給口５は往き側の流路４ａの最上流側の端部に、気流吸引口６は、戻り側の流路４ｃの最下流側の端部にそれぞれ設けられている。第１および第２の熱交換流路４ｂ−１，４ｂ−２の両者を総括して述べる場合には、熱交換流路４ｂと称す。
【００３８】
戻り側の流路４ｃは、流路切替部１１で気流吸引口６に連通する第３の連通路４ｃ３を使用する第１の切り替え状態（図１（ａ））と、第１の外気口７に連通する第１の連通路４ｃ１および第２の外気口８に連通する第２の連通路４ｃ２を使用する第２の切り替え状態（図１（ｂ））とが選択される。本実施例では、図１（ａ）の状態が制御気流に外気を使用しない循環方式であり、図１（ｂ）の状態が制御気流に外気を使用する環境排気・吸気方式である。
【００３９】
第１の連通路４ｃ１と第２の連通路４ｃ２は、それぞれ一端が第１および第２の外気口７，８を介して画像形成装置１の装置外に開口し、他端が戻り側の流路４ｃに接続され、戻り側の流路４ｃと連通している。第３の連通路４ｃ３は、第１および第２の流路４ｃ１，４ｃ２の戻り側の流路４ｃの接続部の間に形成され、流路切替部１１によって第３の連通路４ｃ３を閉鎖すると、第１および第２の流路４ｃ１，４ｃ２が戻り側の流路４ｃと連通される。これに対し、流路切替部１１によって第１および第２の流路４ｃ１，４ｃ２の戻り側の流路４ｃの接続部を閉鎖すると、第３の連通路４ｃ３が戻り側の流路４ｃを気流吸引口６と連通する。
【００４０】
第１の開口９は往き側の流路４ａの熱交換流路４ｂよりも上流側に設定され、第２の開口１０は戻り側流路４ｃの熱交換流路４ｂと流路切替部１１との間に設定されている。第２の開口１０の制御気流の流れ方向上流側の直近には、制御気流温度センサ１２が設けられている。制御気流温度センサ１２は検知した制御気流の温度に対応する出力を、検知出力として切替制御装置１４側に出力する。また、外部温度センサ１３は、検出した装置外の気温に対応する出力を切替制御装置１４に出力する。切替制御装置１４は、後述するが、制御気流温度センサ１２の出力と、外気温度センサ１３の出力に基づいて流路切替部１１によって戻り側流路４ｃを切り替え、循環方式あるいは環境排気・吸気方式のいずれかの方式で空調が行われる。
【００４１】
なお、第１および第２の開口９，１０は、前者は往き側の流路４ａ、後者は戻り側の流路４ｃの位置を特定したものであり、往き側および戻り側の流路４ａ，４ｃの流路は気流供給口５から気流吸引口６間で、あるいは気流供給口５から第２の外気口８まで部分的に開口面積が異なるにしても所定の開口を保持した状態で連通している。
【００４２】
空調装置３は、画像形成装置１の本体筐体の外側（図では左側面下部）に設けられている。空調装置３が生成する制御気流は、気流供給口５、第１の開口９、往き側の流路４ａ、第１および第２の熱交換流路４ｂ−１，４ｂ−２を通り、第１および第２の環境制御箇所２−１，２−２でそれぞれ熱交換を行う。熱交換した制御気流は戻り側の流路４ｃを通り、気流吸引口６あるいは第２の外気口８から排気される。気流吸引口６から排気される場合は空調装置３に戻り、第２の外気口８から排気される場合は、装置外の外部環境（外気）に排気される。このように空調装置３から制御気流の温度を適切に制御して環境制御箇所２−１，２−２側に送れば、第１および第２の環境制御箇所２−１，２−２の温度を所望の温度にすることができる。
【００４３】
前述のように図１（ａ）は循環方式の場合の例である。この場合には、気流吸引口６と第２の開口１０は連結されている。この状態においては、第１の環境制御箇所２−１および第２の環境制御箇所２−２を通過した制御気流は、戻り側の流路４ｃ、第２の開口１０、気流吸引口６を通り空調装置３に戻る。空調装置３が冷房運転している場合は、制御気流は空調装置３内の熱交換器（不図示）で冷却され、温度が低下した状態で再び気流供給口５から制御気流流路４内に給気される。同様に空調装置３が暖房運転している場合は、制御気流は空調装置３内の熱交換器（不図示）で加熱され、温度が上昇した状態で再び気流供給口５から制御気流流路４内に給気される。
【００４４】
図１（ｂ）は環境排気・吸気方式の場合の例である。この場合には、気流吸引口６と第１の外気口７、第２の開口１０と第２の外気口８とがそれぞれ連通した連結状態である。第１の環境制御箇所２−１および第２の環境制御箇所２−２を通過した制御気流は、戻り側の流路４ｃ、第２の開口１０、第２の外気口８を通り画像形成装置１外に排気される。また、画像形成装置１外の空気が第１の外気口７、気流吸引口６を通り空調装置３に吸引される。空調装置３が冷房運転している場合は、画像形成装置１外の空気が空調装置３内の熱交換器（不図示）で冷却され、温度が低下した状態で気流供給口５から制御気流流路４内に給気される。同様に空調装置３が暖房運転している場合は、画像形成装置１外の空気が空調装置３内の熱交換器（不図示）で加熱され、温度が上昇した状態で気流供給口５から制御気流流路４内に給気される。
【００４５】
図１（ａ）に示した循環方式と図１（ｂ）に示した環境排気・吸気方式は、例えば電磁弁を備えた流路切替部１１により切り替えられる。流路切替部１１における電磁弁（ソレノイド）の切り替え動作は、前記制御気流温度センサ１２と前記外気温度センサ１３の検出値に基づいて、切替制御装置１４の指示によって実行される。
【００４６】
本実施形態における画像形成装置１では、画像形成動作を長時間継続し、記録紙に画像を形成して出力すると、画像形成装置１内部の温度が飽和する。その状態では第１の環境制御箇所２−１を所望の温度に保つには気流供給口５における制御気流の温度が２０℃である必要がある。この２０℃の制御気流を気流供給口５に供給すると、第２の開口１０における制御気流の温度は２８℃となる。
【００４７】
図２（ａ）は画像形成装置１を周囲温度２４℃の環境に設置し、前述のように記録紙を長時間出力した際の循環方式および環境排気・吸気方式で空調した場合の気流吸引口６における制御気流温度（１）、気流供給口５における制御気流温度（２）、および第２の開口１０における制御気流温度（３）を比較して示す図である。
【００４８】
循環方式における前記（１），（２），（３）の温度をそれぞれｔ１，ｔ２，ｔ３とすると、気流吸引口６と第２の開口１０は連結されているから
ｔ１≒ｔ３
であり、
ｔ１＝ｔ３＝２８℃
ｔ２＝２０℃
であることから、空調装置３は２８℃の空気を２０℃まで冷却する必要がある。
【００４９】
一方、環境排気・吸気方式における前記（１），（２），（３）の温度をそれぞれｔ１’，ｔ２’，ｔ３’とすると、
ｔ１’＝２４℃
ｔ２’＝２０℃
ｔ３’＝２８℃
であることから、空調装置３は２４℃の空気を２０℃まで冷却する必要がある。
【００５０】
空調装置３の仕事は、気流吸引口６と気流供給口５の制御気流の温度差と比例するから、この場合、第１の環境制御箇所２−１を所望の温度に保つために、環境排気・吸気方式（気流吸引口６と気流供給口５の制御気流の温度差：４℃）は循環方式（気流吸引口６と気流供給口５の制御気流の温度差：８℃）に比べて半分の仕事で済む。
【００５１】
図２（ｂ）は、画像形成装置１を周囲温度３２℃の環境に設置し、前述のよう記録紙を長時間出力した際の循環方式および環境排気・吸気方式で空調した場合の気流吸引口６における制御気流温度（１）、気流供給口５における制御気流温度（２）、および第２の開口１０における制御気流温度（３）を比較して示す図である。
【００５２】
図２（ａ）と同様に、循環方式における前記（１），（２），（３）の温度をそれぞれｔ１，ｔ２，ｔ３とすると、気流吸引口６と第２の開口１０は連結されているから
ｔ１≒ｔ３
であり、
ｔ１＝ｔ３＝２８℃
ｔ２＝２０℃
であり、図２（ａ）の場合と同様に、空調装置３は２８℃の空気を２０℃まで冷却する必要がある。
【００５３】
一方、環境排気・吸気方式における前記（１）、（２）、（３）の温度をそれぞれｔ１’、ｔ２’、ｔ３’とすると、
ｔ１’＝３２℃
ｔ２’＝２０℃
ｔ３’＝２８℃
であることから、空調装置３は３２℃の空気を２０℃まで冷却する必要がある。
【００５４】
空調装置３の仕事量は、前述のように気流吸引口６と気流供給口５の制御気流の温度差と比例するから、この場合、第１の環境制御箇所２−１を所望の温度に保つために、環境排気・吸気方式（気流吸引口６と気流供給口５の制御気流の温度差：１２℃）は循環方式（気流吸引口６と気流供給口５の制御気流の温度差：８℃）に比べて１．５倍の仕事が必要となる。
【００５５】
このことから、図２（ａ）の場合、環境排気・吸気方式の方が循環方式に比べて半分の仕事で済むので、図１（ｂ）の環境排気・吸気方式に切り替える。また、図２（ｂ）の場合、環境排気・吸気方式の方が循環方式に比べて１．５倍の仕事が必要となるので、図１（ａ）の循環方式に切り替える。
【００５６】
すなわち、本実施例においては、循環方式と環境排気・吸気方式とで、気流吸引口６と気流供給口５の制御気流の温度差が小さくなるように切替制御装置１４が流路切替部１１を制御する。さらに具体的には、制御対象箇所２−１，２−２を所望の温度に保つための気流供給口６の制御気流の温度は循環方式と環境排気・吸気方式のどちらの場合でも同じであるので、第２の開口１０付近の制御気流温度、画像形成装置１の外気の温度のうち値の低い方を空調装置３が吸引するように制御する。
【００５７】
なお、空調装置３が冷房運転の場合、画像形成装置１の電源がオンされ、運転開始時には、環境排気・吸気方式から開始する方が望ましい。これは、画像形成装置１の電源がオンになり、運転が開始されると、運転方式にかかわらず、画像形成装置１内の温度が上がり、画像形成装置１内の温度が上がると、排気の温度も上がるからである。
【００５８】
循環方式であると、この温度上昇した空気を取り入れることになり、この高くなった空気の温度を下げる必要があるが、環境排気・吸気方式では、外気を吸気するので、この必要はない。すなわち、循環方式では、温度が上昇した分、冷やす必要があり、その分、環境排気・吸気方式より効率が低下する。これに対し、環境排気・吸気方式では、吸気する空気の温度は外気温度であり、装置内の環境制御箇所２で昇温した空気を吸気することがない。そのため、装置内で昇温した分、余分に冷却する必要がなくなるので、効率の低下は生じない。
【００５９】
図３は流路の切り替えを行うソレノイド駆動の方向切替弁の構成の一例を示す略図である。図３において、流路切替部１１は、方向切替弁１１ａと、この方向切替弁１１ａを駆動するソレノイド１１ｂと、ソレノイド１１ｂを駆動する図示しないドライバとを備えている。方向切替弁１１ａは、いわゆる４ポート２位置の方向切替弁であり、図３に示す位置を初期状態とすると、この初期状態では、第１の外気口７と気流吸引口６、第２の外気口８と第２の開口１０を連通し、気流吸引口６と第２の開口１０は遮断している。すなわち、環境排気・吸気状態となっている。この状態からソレノイド１１ｂがＯＮされると、方向切替弁１１ａは図において左方向に移動し、第１および第２の外気口７，８を遮断し、気流吸引口６と第２の開口１０を連通する。
【００６０】
なお、ドライバは切替制御装置１４からの指示によって方向切替弁１１ａを駆動する。ソレノイド１１ｂはオン・オフ制御であり、オン・オフはドライバによって制御されるので、切替制御装置１４側では、方向切替弁１１ａの位置は、オン・オフの状態として把握されている。
【００６１】
また、方向切替弁１１ａの駆動をソレノイド１１ｂに代えてモータとすることもできる。この場合には、モータの駆動力を方向切替弁１１ａのスライド移動に変換する駆動力変換機構あるいは減速機構にセンサもしくはエンコーダを付設し、方向切替弁１１ａの位置もしくは状態を把握できるようにする。
【００６２】
以上のように、本実施例によれば、空調装置３の吸引側は流路切替部１１によって常に仕事量の少ない方式に切り替えられることになり、省エネルギ効率の高い方式で空調制御が可能となる。
【実施例２】
【００６３】
図４は実施例２に係る画像形成装置の概略構成を示す正面図である。本実施例は、実施例１に対して第２の外気口８の位置を変更した例で、その他の各部は実施例１と同一に構成され、同様に機能する。
【００６４】
本実施例においては、第１の外気口７が画像形成装置１の本体筐体側面１ａに、第２の外気口８が画像形成装置１の本体筐体上面１ｂに開口している。このように構成すると、気流吸引口６と第１の外気口７、第２の開口１０と第２の外気口８とがそれぞれ連結した状態となっている場合、第２の外気口８から排気される空気は上方に拡散する。一方、第１の外気口７と第２の外気口８との距離が大きく、本体筐体の異なる面に設けられていることから、第２の外気口８からの排気が第１の外気口７まで回り込む可能性は非常に薄くなる。そのため、第１の外気口７が第２の外気口８から排出される温度の高い空気を吸引することを抑制することができる。
【００６５】
このようにして空調装置３は室温の空気を吸引できるので、環境排気・吸気方式の効果を確実に得ることができる。
【００６６】
本実施例では、第１の外気口７が画像形成装置１の本体筐体側面１ａ、第２の外気口８が画像形成装置１の本体筐体上面１ｂに配置されているが、第１の外気口７と第２の外気口８との間の空気の回り込みを防ぐ構成であればよく、この構成に限定されるものではない。さらに言えば、第１の外気口７が第２の外気口８から排気される空気を吸引することのないように構成されていればよく、装置筐体の側面１ａと上面１ｂである必要はない。
【００６７】
例えば、第１の外気口７は画像形成装置１が設置される際に壁面と対向することが少ない本体筐体前面、第２の外気口８はそれ以外の面とすることもできる。さらに、第１の外気口７と第２の外気口８とが本体筐体の同一面に配置される場合でも、距離を大きくとることにより空気の回り込みを抑制することが可能である。加えて、図４に示すように、第１の外気口７にルーバ７ａを設け、第２の外気口８側の空気の吸引を抑制することもできる。あるいは、第２の外気口８の外気口８ａに同様のルーバ８ａを設け、排気を第１の外気口７から遠い側に向けるようにすることもできる。
【００６８】
ルーバ７ａ，８ａについては、前述の第１の外気口７と第２の外気口８とが本体筐体の同一面に配置される場合に、互いに逆方向に向くようにルーバ７ａ，８ａの向きを設定することも効果的である。
【００６９】
また、ルーバ８ａに代えてファンとすることも可能であり、ルーバ８ａの角度設定をファンの角度設定とすれば、その設定された方向に第２の外気口８からの排気を導くことが可能となる。これにより、第１の外気口７が第２の外気口８から排気される空気を吸引することのないように構成することができる。
【００７０】
なお、実施例２は環境排気・吸気方式で空調する場合に効果があり、循環方式の場合には、外気を導入しないので、第２の外気口８からの昇温した空気が導入されることはない。
【００７１】
以上のように、本実施例によれば、第２の外気口８から排気される空気が第１の外気口７から吸引されることを防ぐことができる。
【実施例３】
【００７２】
図５は実施例３に係る画像形成装置の概略構成を示す正面図である。本実施例は、実施例１に対して第１の外気口７と第２の外気口８の間に両者の間の空間を分ける遮蔽板１５を設けた例で、その他の各部は実施例１と同一に構成され、同様に機能する。
【００７３】
本実施例においては、第１の外気口７、第２の外気口８ともに画像形成装置１の本体筐体側面１ａに配置され、その間に遮蔽板１５が設けられている。
【００７４】
第１の外気口７と第２の外気口８との間の遮蔽板１５により、気流吸引口６と第１の外気口７、第２の開口１０と第２の外気口８とがそれぞれ連結した状態（環境排気・吸気方式）において、第２の外気口８から排気される空気が遮蔽板の面方向に沿って第１の外気口７から離れた位置まで案内されるから、第１の外気口７からの吸引を抑制することができる。これにより、空調装置３は環境排気・吸気方式の効果を確実に得ることができる。
【００７５】
本実施例では、第１の外気口７、第２の外気口８ともに画像形成装置１の本体筐体側面１ａに配置され、第１および第２の外気口７，８の間に遮蔽板１５が設けられている。この遮蔽板１５は第１の外気口７と第２の外気口８との間の空気の回り込みを防ぐ構成であればよく、図示の構成に限定されるものではない。例えば、第１の外気口７と第２の外気口８が本体筐体の異なる面に配置されている場合でも、周囲環境（例えば、壁際への設置）によっては第１の外気口７と第２の外気口８との間の空気の回り込みが発生してしまうことがある。そのような場合には、第１の外気口７と第２の外気口８との間に遮蔽板１５を配置すれば、空気の回り込みを抑制することができる。
【００７６】
そこで、画像形成装置１の本体筐体に複数の遮蔽板固定部材（不図示）を設けて、画像形成装置１の設置環境に応じて任意に遮蔽板１５を付加できるように構成することが望ましい。
【００７７】
また、遮蔽板１５の突出量Ｌを空調装置３の側方の寸法とほぼ同じに設定するとよい。このように設定すると、本体筐体の側面１ａ側を壁１７に寄せて設置したとき、遮蔽板１５の先端が壁１７とほぼ接触する状態となり、遮蔽板１５の先端側からの回り込みを効果的に抑制することができる。
【００７８】
さらに、遮蔽板１５の機能を排紙トレーに持たせることもできる。すなわち、遮蔽板１５を排紙トレーとし、画像形成済みの記録紙の図示しない排紙口の下側に排紙トレーを配置し、排紙トレーの下側に第１の外気口７を、排紙トレーの上側に第２の排気口８をそれぞれ配置することもできる。このように構成すると、画像形成装置１に設けられる排紙トレーを遮蔽板１５として機能させることができるので、遮蔽板１５を別途設ける必要がなくなり、その分、低コスト化を図ることができる。
【００７９】
遮蔽板１５を排紙トレーと兼用させる場合、排紙する記録紙に向けて第２の排気口８から排気するようにすることも可能である。このように構成すると、第２の排気口８からの空気によって定着直後の記録紙を冷却することができる。また、排紙する後行の記録紙の下面に排気が入り込むと、先行の記録紙との間に空気層が形成され、後行の記録紙の先行の記録紙に対する吸着や密着を防止することができる。吸着や密着が防止できると、これらに起因する整合不良や排紙不良を防止することができる。
【００８０】
加えて、第２の外気口８にダクト１６を被せ、ダクト１６先端の排気口１６ａから排気するように構成することも可能である。この場合、図５において２点鎖線で示すように、排気口１６ａの端部を上方に向けておくと、昇温した空気は上方向に向けて排気されるので、第１の外気口７が第２の外気口８から排気された空気を吸い込む可能性を最小限に抑えることができる。
【００８１】
なお、実施例３の場合も環境排気・吸気方式で空調する場合に効果があり、循環方式の場合には、外気を導入しないので、第２の外気口８からの昇温した空気が導入されることはない。
【００８２】
以上のように、本実施例によれば、第２の外気口８から排気される空気が第１の外気口７から吸引されることを防ぐことができる。
【実施例４】
【００８３】
図６は実施例１に係る画像形成装置における流路切替部１１の切り替え制御手順を示すフローチャートである。画像形成装置１自体は実施例１に示した画像形成装置であり、実施例４として制御手順および当該制御手順に関連する説明のみ行う。
【００８４】
画像形成装置１における流路切替部１１は切替制御装置１４のＣＰＵ（中央処理装置）によって切り替え制御が実行される。ＣＰＵは、制御部と演算部を含み、制御部が命令の解釈とプログラムの制御の流れを制御し、演算部が演算を実行する。また、プログラムは図示しないメモリに格納され、実行すべき命令（ある数値または数値の並び）を前記プログラムの置かれたメモリから取り出し、前記プログラムを実行する。
【００８５】
切替制御装置１４には、制御気流温度センサ１２と外気温度センサ１３からそれぞれ検知出力が入力され、ＣＰＵはこの検知出力から熱交換後の制御気流の温度と、外気温を取得する。また、切替制御装置１４には、図示しない各環境制御箇所２における検知出力が入力され、ＣＰＵは前記検知出力から各環境制御箇所２の温度を取得する。
【００８６】
ＣＰＵは、画像形成装置１の稼動中、環境制御箇所の温度を検知するセンサの値（環境制御箇所の温度Ｔｇ）と環境制御箇所の目標温度Ｔｔとの関係に基づき空調装置３が冷房運転するか暖房運転するかを切り替える。あるいは、稼動パターンや稼動時間などの情報から、予め決められた運転パターンにて空調装置３が運転される。本実施例では、前者の検知温度Ｔｇと目標温度Ｔｔとの関係から冷房運転か暖房運転かを決定する例について説明する。
【００８７】
図６において、空調装置３が空調制御を開始すると、まず、環境制御箇所２の検知温度Ｔｇと目標温度Ｔｔとの差を取り、予め設定した値（以下、「設定値」と称す。）Ｄ（Ｄは、Ｄ＞０の整数）と比較する。この設定値Ｄは、暖房運転するか（後述のステップＳ１１）、冷房運転するか（後述のステップＳ３）、あるいは送風運転とするか（後述のステップＳ２１）を決定する（切り分ける）ためのもので、予め実験室などで機種毎にデータを取り、適切な値が設定される。
【００８８】
そこで、
｜Ｔｇ−Ｔｔ｜≦Ｄ      ・・・（１）
の真偽を判定する（ステップＳ１）。
【００８９】
この判定で、｜Ｔｇ−Ｔｔ｜がＤより大きければ（ステップＳ１：Ｎ）、暖房運転あるいは冷房運転であるとして、さらに、
Ｔｇ−Ｔｔ＞０    ・・・（２）  
の真偽を判定する。環境制御箇所２の温度Ｔｇは、複数存在する環境制御箇所のうち予め設定されたものでも、複数の検知出力を平均化したものでも、あるいは最低温度のものでもよい。いずれにしても、比較の基準となる環境制御箇所２の設定基準は予め決められており、その決められた設定基準に基づいて環境制御箇所２の温度Ｔｇが選択される。
【００９０】
この判定で、前記差が０以上である場合には、目標温度Ｔｔに対して環境制御箇所２の温度が高いことを意味している。そこで、前記差が０以上である場合には、空調装置３を冷房状態にして圧縮機１０１の運転を開始する（ステップＳ３）。
【００９１】
次いで流路切替部１１の方向切替弁１１ａの状態をチェックする。ここでは方向切替弁１１ａが環境排気・吸気状態か否かを判定する（ステップＳ４）。環境排気・吸気状態とは、実施例１で説明したように気流吸引口６と第１の外気口７が連通し（連結され）、第２の開口１０と第２の外気口８が連通している状態である。このステップＳ４のチェックで、環境排気・吸気状態であれば、その状態を保持し、環境排気・吸気状態でなければ、環境排気・吸気状態に切り替える（ステップＳ５）。すなわち、本実施例では、実施例１で述べたように環境排気・吸気状態を初期状態として空調制御を実施する。
【００９２】
その後、外気温度センサ１３の検知温度Ｔｒと制御気流温度センサ１２の検知温度Ｔｃａの大小を比較する（ステップＳ６）。なお、外気温度センサ１３の検知温度Ｔｒと制御気流温度センサ１２の検知温度Ｔｃａは両者の検知出力をＣＰＵがそれぞれ温度変換した値である。
【００９３】
ステップＳ６で、前記外気温度センサ１３の検知温度Ｔｒと制御気流温度センサ１２の検知温度Ｔｃａの大小を比較し、
Ｔｒ＜Ｔｃａ    ・・・（３）
のときは（ステップＳ６：Ｙ）、環境排気・吸気状態で冷房運転を実行する（ステップＳ７）。他方、Ｔｒ＜Ｔｃａ以外（Ｔｒ≧Ｔｃａ）のときは（ステップＳ６：Ｎ）、方向切替弁１１ａを環境排気・吸気状態から循環状態に切り替え、循環状態で冷房運転を実行する（ステップＳ８）。
【００９４】
そして、所定時間が経過するまでステップＳ６からの処理を実行し、温度状態に応じてステップＳ７あるいはＳ８の状態で冷房運転を実行する。冷房運転が所定時間経過すると（ステップＳ９：Ｙ）、
Ｔｇ−Ｔｔ＜Ｄ    ・・・（４）
の真偽を判定する（ステップＳ１０）。この判定で、Ｔｇ−Ｔｔ＜Ｄ以外（Ｔｇ−Ｔｔ≧Ｄ）のときは、ステップＳ６に戻って、ステップＳ６以降の処理を繰り返す。そして、Ｔｇ−Ｔｔ＜Ｄとなった時点で、目標温度に達しているので圧縮機１０１を停止し、送風のみ継続する（ステップＳ１９）。
【００９５】
他方、ステップＳ２で式（２）において前記差が０以下である場合には、環境制御箇所２の検知温度Ｔｇが目標温度Ｔｔ以下であることを意味している。そこで、前記差が０以下である場合には、空調装置３を暖房状態にして圧縮機１０１の運転を開始する（ステップＳ１１）。
【００９６】
次いで流路切替部１１の方向切替弁１１ａの状態をチェックする。ここでは方向切替弁１１ａが環境排気・吸気状態か否かを判定する（ステップＳ１２）。このステップＳ１２のチェックで、環境排気・吸気状態であれば、その状態を保持し、環境排気・吸気状態でなければ、環境排気・吸気状態に切り替える（ステップＳ１３）。
【００９７】
その後、外気温度センサ１３の検知温度Ｔｒと制御気流温度センサ１２の検知温度Ｔｃａの大小を比較する（ステップＳ１４）。この比較で、
Ｔｒ＞Ｔｃａ    ・・・（５）
のときは（ステップＳ１４：Ｙ）、環境排気・吸気状態で暖房運転を実行する（ステップＳ１５）。他方、Ｔｒ＞Ｔｃａ以外（Ｔｒ≦Ｔｃａ）のときは（ステップＳ１４：Ｎ）、方向切替弁１１ａを環境排気・吸気状態から循環状態に切り替え、循環状態で暖房運転を実行する（ステップＳ１６）。
【００９８】
そして、所定時間が経過するまでステップＳ１４からの処理を実行し、温度状態に応じてステップＳ１５あるいはＳ１６の状態で暖房運転を実行する。暖房運転が所定時間経過すると（ステップＳ１７：Ｙ）、
Ｔｇ−Ｔｔ＞−Ｄ    ・・・（６）
の真偽を判定する（ステップＳ１８）。この判定で、Ｔｇ−Ｔｔ＞−Ｄ以外（Ｔｇ−Ｔｔ≦−Ｄ）のときは、ステップＳ１４に戻って、ステップＳ１４以降の処理を繰り返す。そして、Ｔｇ−Ｔｔ＞−Ｄとなった時点で、目標温度に達しているので圧縮機１０１を停止し、送風のみ継続し（ステップＳ１９）、この画像形成装置１の稼動が終了したか否かを判定し（ステップＳ２０）、運転が終了するまで、ステップＳ１からの処理を繰り返す。
【００９９】
他方、ステップＳ１で前記式（１）の真偽判定がＹの場合、暖房も冷房も不要なので、圧縮機１０１を停止し、送風状態として（ステップＳ２１）ステップＳ２０の終了判定に移行する。
【０１００】
このように制御すると、冷房運転の場合には、空調装置３の気流吸引口６には、外気と制御気流のうち常に温度が低い方の空気が供給されることになり、より低いエネルギで所定の温度の制御気流を生成することができる。
【０１０１】
また、空調装置３の気流吸引口６には、外気と制御気流とのうち常に温度が高い方の空気が供給されることになり、より低いエネルギで所定の温度の制御気流を生成することができる。
【０１０２】
なお、ステップＳ７およびステップＳ８とステップＳ９の間（ステップＳ９の前段）、あるいはステップＳ１５およびステップＳ１６とステップＳ１７の間（ステップＳ１７の前段）にそれぞれステップＳ２０の終了判定処理を設け、判定が偽（Ｎ）の場合に、それぞれステップＳ９あるいはステップＳ１７に移行し、判定が真（Ｙ）の場合、リターンするように構成することもできる。このように構成すると、より細かくチェックした画像形成動作結果を冷暖房・送風制御にフィードバックすることが可能となる。これにより、画像形成動作に連動したより細かい制御が可能になるので、より省電力化を図ることができる。
【０１０３】
さらに、図６に示した制御手順では、切替制御装置１４は、Ｔｒ＜Ｔｃａの比較結果に基づいて流路切替部１１で方向切替弁１１ａを切り替えているが、この方法では切り替えが頻繁に行われると考えられる。
【０１０４】
そこで、冷房運転の場合、切替制御装置１４が、設定値Ｃを基準として、
Ｔｒ−Ｔｃａ＜−Ｃ
のときは、環境排気・吸気状態に方向切替弁１１ａを設定し、
｜Ｔｒ−Ｔｃａ｜≦Ｃ
のときは、直前の状態を維持し、
Ｃ＜Ｔｒ−Ｔｃａ
のときは、循環状態に方向切替弁１１ａを設定するようにする。
【０１０５】
他方、暖房運転の場合、切替制御装置１４が、設定値Ｃを基準として、
Ｃ＜Ｔｒ−Ｔｃａ
のときは、環境排気・吸気状態に方向切替弁１１ａを設定し、
｜Ｔｒ−Ｔｃａ｜≦Ｃ
のときは、直前の状態を維持し、
Ｔｒ−Ｔｃａ＜−Ｃ
のときは、循環状態に方向切替弁１１ａを設定する。
【０１０６】
設定値Ｃは、シミュレーションや実験により、頻繁な切り替えが起きることがなく、かつ、空調装置３のエネルギ削減の効果が十分得られるような値が選択される。なお、流路切替部１１における流路の切り替えは、ソレノイド１１ｂにより瞬時に行うことができるが、冷暖房運転の切り替えは、四方弁１０５の切り替え、定常状態への遷移などにより一定の時間が必要となり、瞬時に切り替えることはできない。
【０１０７】
以上のように、本実施例によれば、空調装置３が冷房運転を行う際に、より低い温度の空気を吸気することができるため、空調装置３の電力消費を削減することができる。
【０１０８】
また、空調装置３が暖房運転を行う際に、より高い温度の空気を吸気することができるため、空調装置３の電力消費を削減することができる。
【実施例５】
【０１０９】
図７は実施例５に係る画像形成装置の概略構成を示す正面図である。本実施例は、実施例１における戻り側の流路４ｃの第２の開口１０の上流側の直近にフィルタ１８を設置した例である。その他の各部は実施例１における画像形成装置１と同一である。
【０１１０】
本実施例において、フィルタ１８は環境制御箇所２と第２の開口１０の間の戻り側の流路４ｃの横断面の全面にわたって設けられ、戻り側の流路４ｃを通るトナー、紙粉および塵埃類が、フィルタ１８を通過することなく下流側に移動しないようにされている。すなわち、フィルタ１８は戻り側の流路４ｃを通るトナー、紙粉および塵埃類を全て除去することができるように配されている。本実施例では、フィルタ１８を環境制御箇所２と第２の開口１０との間に設けているので、循環方式および環境排気・吸気方式のいずれの方式においても１つのフィルタ１８でトナー、紙粉および塵埃類の除去が可能である。
【実施例６】
【０１１１】
図８は実施例６に係る画像形成装置の概略構成を示す正面図である。本実施例は、実施例１における画像形成装置１の空調装置３を、往き側の流路４ａの上流側の部分、戻り側の流路４ｃの下流側の部分である第１の連通路４ｃ１、第２の連通路４ｃ２および第３の連通路４ｃ３の部分、流路切替部１１、第１および第２の開口９，１０、切替制御装置１４、制御気流温度センサ１２、並びに外気温度センサ１３を含む部分を空調装置２０として拡張した例である。このように空調装置３を空調装置２０のように拡張すると、空調装置を備えていない画像形成装置本体１’に対してオプションとして接続することができる。
【０１１２】
これにより、ユーザは自身の必要性や設置環境に応じて空調装置２０のオプション装備を選択することができる。
【０１１３】
その他、特に説明しない各部は実施例１と同様に構成され、同様に機能する。また、実施例４のように制御することができる。
【実施例７】
【０１１４】
図９は図１１に示した従来から実施されている間接転写方式のタンデム型カラー画像形成装置に実施例１の空調装置を適用した例を示す概略構成図である。
【０１１５】
本実施例においては、画像形成装置２００内に設けられた空調装置３の気流供給口５から吐出された制御気流が、各環境制御箇所２−１，２，３，４に送り込まれ、熱交換して制御気流吸引口６に戻る制御気流流路４が配設されている。本実施例は、各環境制御箇所２−１，２，３，４に対して制御気流流路４が実施例１と同様に並列に配置された例である。
【０１１６】
各環境制御箇所２−１，２，３，４は、感光体２１２を中心に現像装置２１４、帯電装置、クリーニング装置などの作像要素が密集して配置されている。本実施例では、各環境制御箇所２−１，２，３，４を構成する各ユニットに往き側流路４ａを通る制御気流が供給される。各ユニットでは、各ユニットの吐出口から吐出された制御気流の大部分は当該ユニットの吸込口から吸い込まれ、戻り側流路４ｃに集められ、空調装置３側に戻る。
【０１１７】
各ユニットに供給された制御気流は、感光体２１２、現像ローラ付近に発生する気流により、現像装置２１４内へも進入するため、感光体２１２付近と現像装置２１４内部の温湿度を制御することが可能である。
【０１１８】
図１０は実施例７の変形例を示す概略構成図である。この変形例は、図９に示した例に対して制御気流流路４を各環境制御箇所２−１，２，３，４に対して直列に配置した例である。この例においても、図９の例と同様に画像形成装置２００内に設けられた空調装置３の気流供給口５から吐出された制御気流が、各環境制御箇所２−１，２，３，４に送り込まれ、熱交換して制御気流吸引口６に戻り、各環境制御箇所２−１，２，３，４との間で熱交換することになる。
【０１１９】
本実施例では、実施例１に示した熱交換流路４ｂは、各環境制御箇所２−１，２，３，４を構成する各ユニット間の間隙、あるいは各ユニットを包含する作像部２１１が納められた収納部の内壁との間の間隙で構成される。各ユニット間の間隙あるいは収納部の内壁との間の間隙はダクトとして見ると、完全な閉鎖空間ではないので、制御気流の漏れが生じる。しかし、この漏れは、空調装置３の運転効率から見るとさして問題となる量ではなく、空調装置３による空調効果を十分に得ることができる。
【０１２０】
なお、実施例１と同一または同一を見なせる各部には同一の参照符号を付し重複する説明は省略する。また、特に説明しない各部は実施例１と同様に構成され、同様に機能する。また、流路の切り替えも、実施例４で説明した手順で実行される。
【０１２１】
以上のように、本実施形態によれば、以下のような効果を奏する。
【０１２２】
１）  空気の温度および湿度の少なくとも一方を制御する空調装置３と、空調手段３から送風される空気を環境制御箇所２−１，２に案内する往き側の流路４ａと、環境制御箇所２−１，２から空調装置３を通り、あるいは直接装置外に、温度制御対象部４−１，２で熱交換した空気を通す戻り側の流路４ｃと、戻り側の流路４ｃから分岐し、装置外に開口した第１の外気口７を有する第１の連通路４ｃ１と、戻り側の流路４ｃから分岐し、装置外に開口した第２の外気口８を有する第２の連通路４ｃ２と、戻り側の流路４ｃである第３の連通路４ｃ３を通る経路（環境排気・吸気方式）、あるいは第２の連通路４ｃ２の第２の外気口８から排気し、第１の連通路４ｃ１の第１の外気口７から空調装置３に外気を取り込む経路（循環方式）のいずれかに切り替える流路切替部１１と、戻り側の流路４ｃ内の温度と装置外の温度とを比較し、比較結果に基づいて流路切替部１１を駆動して経路を切り替えさせる切替制御装置１４と、を備えたので、装置外の空気の温度と、温度制御対象部である環境制御箇所２を通過した後の空気の温度を比較して、装置外の空気あるいは環境制御箇所２を通過した後の空気のいずれかに対して冷房または暖房処理を行って環境制御箇所２側に制御気流として送風することができる。これにより、装置本体外の温度に関係なく、より省エネルギ効果の高い方式で制御気流を生成し、空調を行うことが可能となる。
【０１２３】
２）  第２の外気口８から排気された空気が第１の外気口７側へ回り込み、当該第１の外気口７から空調装置３内に導入されない位置に第１の外気口７と第２の外気口８がそれぞれ設けられているので、制御気流の生成に無駄なエネルギを消費することがない。
【０１２４】
３）  第１の外気口７と第２の外気口８とが装置の異なる面（側面１ａ，上面１ｂ）に設けられているので、排気方向と吸気方向が齟齬し、第２の外気口８から排気された空気が第１の外気口７から導入される可能性が最小限に抑えられる。これにより、制御気流の生成に無駄なエネルギを消費することがない。
【０１２５】
４）  第１の外気口７と第２の外気口８との間に、第２の外気口から排気された熱交換後の空気の第１の外気口への導入を阻止する遮蔽板１５を備えたので、第２の外気口８から排気された空気の第１の外気口７への導入が阻止される。これにより、制御気流の生成に無駄なエネルギを消費することがない。
【０１２６】
５）  遮蔽板１５を隔てて上部に第２の外気口８が開口し、下部に第１の外気口７が開口しているので、熱交換により加熱された空気は上昇し、下部の第１の外気口７側へ流れることがない。これにより、制御気流の生成に無駄なエネルギを消費することがない。
【０１２７】
６）  遮蔽板１５が第２の外気口８と連通するダクト１６からなるので、第２の外気口８から排気された空気が第１の外気口７から導入される可能性が最小限に抑えられる。これにより、制御気流の生成に無駄なエネルギを消費することがない。
【０１２８】
７）  第２の連通路４ｃ２の上流側の戻り側の流路４ｃにフィルタ１８を備えたので、１つのフィルタ１８でトナー、紙粉および塵埃類の除去が可能となる。
【０１２９】
８）  空調装置３が冷房運転する場合、装置外の空気の温度が戻り側の流路４ｃを通る空気の温度より低いときは、第２の連通路４ｃ２の外気口８から排気し、第１の連通路４ｃ１の第１の外気口７から空調装置３に外気を取り込む経路（環境排気・吸気方式）に切り替え、装置外の空気の温度が戻り側の流路４ｃを通る空気の温度以上のときは、戻り側の流路４ｃを通る経路（循環方式）に切り替えるので、空調装置３の仕事量を少なくすることができる。これにより、より省エネルギ効果の高い運転が可能となる。
【０１３０】
９）  空調装置３が暖房運転する場合、装置外の空気の温度が戻り側の流路４ｃを通る空気の温度より高いときは、第２の流路４ｃ２の第２の外気口８から排気し、第１の連通路４ｃ１の第１の外気口７から空調装置３に外気を取り込む経路（環境排気・吸気方式）に切り替え、装置外の空気の温度が戻り側の流路４ｃを通る空気の温度より低いときは、第３の経路４ｃ３を含む戻り側の流路４ｃを通る経路（循環方式）に切り替えるので、空調装置３の仕事量を少なくすることができる。これにより、より省エネルギ効果の高い運転が可能となる。
【０１３１】
１０）  初期状態を第２の連通路４ｃ２の第２の外気口８から排気し、第１の連通路４ｃ１の第１の外気口７から空調装置３に外気を取り込む経路（環境排気・吸気方式）として、空調装置３の運転を開始するので、省エネルギ効果の低い方向に向かうおそれがなく、常に省エネルギ効果を期待できる。
【０１３２】
１１）  前記空調装置３を画像形成装置１が備えることにより、画像形成装置１内の温度および湿度制御について、無駄なエネルギの消費を伴うことなく実行することができる。
【０１３３】
１２）  画像形成装置が、空調装置３から送風される空気を環境制御箇所２−１，２に案内する往き側の流路４ａと、  温度対象部２−１，２で熱交換された空気を空調装置３側に案内する戻り側の流路４ｃを備えているので、空調装置３を画像形成装置１に容易に取り付けて画像形成装置１内の空調制御が可能となる。
【０１３４】
１３）  画像形成装置１の排紙トレー２１８を遮蔽板１５として使用すれば、別途遮蔽板を容易する必要がない。
【０１３５】
１４）  排紙トレー２１８に排紙される記録紙に対して第２の外気口８からの排気を送風するようにすれば、記録紙の冷却を促進するとともに、記録紙の密着あるいは固着を防止することができる。
【０１３６】
なお、特許請求の範囲における空調手段は実施形態では空調装置３に、温度制御対象部は第１および第２の環境制御箇所２−１，２に、第１の流路は往き側の流路４ａに、第２の流路は戻り側の流路４ｃに、第１の外気口は符号７に、第３の流路は第１の連通路４ｃ１に、第２の外気口は符号８に、第４の流路は第２の連通路４ｃ２に、切替手段は流路切替部１１および切替制御装置１４に、遮蔽板は符号１５に、ダクトは符号１６に、フィルタは符号１８に、画像形成装置は符号１，２００に、それぞれ対応する。
【０１３７】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【０１３８】
１，２００  画像形成装置
２、２−１，２，３，４  環境制御箇所
３  空調装置
４  制御気流流路
４ａ  往き側の流路
４ｃ  戻り側の流路
４ｃ１  第１の連通路
４ｃ２  第２の連通路
４ｃ３  第３の連通路
７  第１の外気口
８  第２の外気口
１１  流路切替部
１４  切替制御装置
１５  遮蔽板
１６  ダクト
１８  フィルタ
【先行技術文献】
【特許文献】
【０１３９】
【特許文献１】特開２００３−１２２２０８号公報
【特許文献２】特許第３９２４４８４号公報
【図６】
2014074768.tif 000003
【図９】
2014074768.tif 000004
【図１０】
2014074768.tif 000005
【図１１】
2014074768.tif 000006
【図１２】
2014074768.tif 000007
【図１】
2014074768.tif 000008
【図２】
2014074768.tif 000009
【図３】
2014074768.tif 000010
【図４】
2014074768.tif 000011
【図５】
2014074768.tif 000012
【図７】
2014074768.tif 000013
【図８】
2014074768.tif 000014